(57)【要約】【課題】録画可能領域の残量が不足していても画質の劣化を抑制しつつ録画可能領域を追加できるハードディスク録画機を提供する。【解決手段】チューナ２で受信中の番組を、ＨＤＤ６のタイムシフト領域に蓄積し、蓄積した番組を任意の箇所から再生して表示するタイムシフト機能を備えたハードディスク録画機において、録画設定により、録画しようとする番組の録画予定時間Ｔ１と前記ＨＤＤの録画可能領域の残量時間Ｔ２とを比較し、Ｔ１＞Ｔ２の場合は前記タイムシフト領域を減少させてその部分に前記番組を録画するように制御する演算制御部１０を備えた。【選択図】図１
2006067493.tif 000002
【特許請求の範囲】
【請求項１】
アンテナからの映像信号を受信するチューナと、映像信号をデジタル信号に変換するＡ
／Ｄ変換器と、デジタル信号を圧縮する圧縮処理部と、圧縮処理した映像信号を蓄積する
ＨＤＤと、蓄積された番組情報を記憶するメモリと、ＨＤＤに蓄積された映像信号および
メモリに記憶された情報を読み出す演算制御部と、読み出した映像信号および情報を伸張
する伸張処理部と、伸張処理された映像信号をアナログ信号に変換して映像信号として表
示部に出力するＤ／Ａ変換器と、を備えたハードディスク録画機において、
前記ＨＤＤは、録画可能領域と、チューナで受信中の番組を蓄積し、蓄積した番組を任
意の箇所から再生して表示可能のタイムシフト領域とを有し、前記演算制御部は、録画設
定により、録画しようとする番組の録画予定時間Ｔ１と前記ＨＤＤの録画可能領域の残量
時間Ｔ２とを比較し、Ｔ１＞Ｔ２の場合は前記タイムシフト領域を減少させてその部分に
前記番組を録画するように制御することを特徴とする、ハードディスク録画機。
【請求項２】
チューナで受信中の番組を、ＨＤＤのタイムシフト領域に蓄積し、蓄積した番組を任意
の箇所から再生して表示するタイムシフト機能を備えたＨＤＤ録画機において、
録画設定により、録画しようとする番組の録画予定時間Ｔ１と前記ＨＤＤの録画可能領
域の残量時間Ｔ２とを比較し、Ｔ１＞Ｔ２の場合は前記タイムシフト領域を減少させてそ
の部分に前記番組を録画するように制御する演算制御部を備えたことを特徴とするハード
ディスク録画機。
【請求項３】
前記演算制御部は、時間優先に設定することにより、前記タイムシフト領域の減少時間
を少なくして録画するように制御するものであることを特徴とする、請求項２に記載のハ
ードディスク装置。
【請求項４】
前記演算制御部は、画質優先に設定することにより、タイムシフト領域での減少時間を
大きくとって高画質で録画するに制御するものであることを特徴とする、請求項２記載の
ハードディスク録画機。
【発明の詳細な説明】
【技術分野】
【０００１】
本発明は、タイムシフト再生機能を有するハードディスク録画機に関する。
【背景技術】
【０００２】
一般に使用されているビデオテープレコーダ（ＶＴＲ）では、同時に録画と再生はでき
ず、同じ時間ではいずれか一方しか動作させることはできないため、録画し終わった後で
なければ、その録画番組を再生することができない。ハードディスク録画機では、ハード
ディスク（以下、ＨＤＤと称す）を備えており、このＨＤＤに内蔵されているバッファは
、タイムシフト領域と、ユーザの操作により番組を録画する録画可能領域を有している。
このタイムシフト領域を利用し、受信中の番組を蓄積し、蓄積処理中であって蓄積してい
る番組の任意の箇所から再生表示したり、ユーザの操作により視聴中に再生の一時停止や
再生速度を変更したりすることができる。
【０００３】
ところで、録画予約した際、ＨＤＤの録画可能領域の残量時間が当該番組の録画予定時
間より少ない場合は、その旨が表示され、ユーザは録画を中止するか、あるいは録画済み
のものに上書きするようにしている。
【０００４】
従来、ストリーム取込部からストリームデータを受け取って一時記憶するバッファメモ
リを備え、記録と再生を同時に同時に行うときに、このバッファメモリを利用するように
したデータストリーム記録再生装置がある（例えば、特許文献１参照）。
【０００５】
また、残量検出回路により、バッファ管理回路からの１ＧＯＰごとの総ビット数と記録
可能領域の残量とを比較し、１ＧＯＰで検出できないときは、ビデオエンコーダがレート
コントローラの制御に基づき、上書き禁止領域を挟んで存在する記録可能領域に記録する
画像データの符号化ビットレートを落とすようにしたデジタル信号記録装置がある（例え
ば、特許文献２参照）。
【０００６】
また、録画時の映像の画質を表す項目が表示されており、ユーザが録画時間を入力する
と、それに応じた最適パラメータ値が計算されるようにした映像記録装置がある（例えば
、特許文献３参照）。
【０００７】
さらにまた、記録媒体に記録していた記録時間と記録容量を測定し、受信データから転
送レートの抽出および番組のジャンルを抽出し、その統計をとり、ジャンル別にメモリに
蓄積し、ジャンルをもとにメモリ上の統計データから記録媒体に記録可能な残量時間の予
測を行い、その結果に基づいて記録モードを可変させて記録するようにした映像記録装置
がある（例えば、特許文献４参照）。
【特許文献１】特開２００２−７７８２８号公報
【特許文献２】特開平１１−７３７３１号公報
【特許文献３】特開２０００−１２５１８５号公報
【特許文献４】特開２０００−２５１４０６号公報
【発明の開示】
【発明が解決しようとする課題】
【０００８】
しかしながら、録画可能領域の残量時間が当該番組の録画予定時間より少ない場合、録
画済みのものに上書きする方法は、大事な録画済みの番組を消去することになってしまい
、その場合は、やむなく録画を中止せざるを得なかった。
【０００９】
特許文献１に記載されている技術は、表示画像を出す場合の一時的なバッファであり、
揮発メモリであるため容量も少なく、大量の映像を録画することはできない。
【００１０】
また、特許文献２に記載されている技術は、記録可能領域の残量が足りない場合は、画
像データの符号化ビットレートを落とすもので、この方法は画質を落とさざるを得ない。
【００１１】
また、特許文献３に記載されている技術も、録画時間を増加すると画質が落ちることは
避けられない。
【００１２】
さらにまた、特許文献４に記載されている技術は、残量時間が不足する場合は記録モー
ド自体を変更するもので、やはり画質が落ちるという問題がある。
【００１３】
したがって、本発明の目的は、録画可能領域の残量が不足していても画質の劣化を抑制
しつつ十分な録画可能領域を追加可能なハードディスク装置を提供することにある。
【課題を解決するための手段】
【００１４】
第１発明に係るハードディスク録画機は、アンテナからの映像信号を受信するチューナ
と、映像信号をデジタル信号に変換するＡ／Ｄ変換器と、デジタル信号を圧縮する圧縮処
理部と、圧縮処理した映像信号を蓄積するＨＤＤと、蓄積された番組情報を記憶するメモ
リと、ＨＤＤに蓄積された映像信号およびメモリに記憶された情報を読み出す演算制御部
と、読み出した映像信号および情報を伸張する伸張処理部と、伸張処理された映像信号を
アナログ信号に変換して映像信号として表示部に出力するＤ／Ａ変換器と、を備えたハー
ドディスク録画機において、前記ＨＤＤは、録画可能領域と、チューナで受信中の番組を
蓄積し、蓄積した番組を任意の箇所から再生して表示可能のタイムシフト領域とを有し、
前記演算制御部は、録画設定により、録画しようとする番組の録画予定時間Ｔ１と前記Ｈ
ＤＤの録画可能領域の残量時間Ｔ２とを比較し、Ｔ１＞Ｔ２の場合は前記タイムシフト領
域を減少させてその部分に前記番組を録画するように制御することを特徴とする。
【００１５】
このハードディスク録画機によれば、録画可能領域と、チューナで受信中の番組を蓄積
し、蓄積した番組を任意の箇所から再生して表示可能のタイムシフト領域とを有するＨＤ
Ｄ搭載のハードディスク録画機において、録画しようとする番組の録画予定時間Ｔ１とＨ
ＤＤの録画可能領域の残量時間Ｔ２とを比較し、Ｔ１＞Ｔ２の場合にタイムシフト領域を
減少させてその部分に前記番組を録画するように制御するようにしたので、タイムシフト
機能を有効に利用することにより、画質の劣化を抑制しつつ録画可能領域を追加して録画
時間を延長でき、録画可能領域の残量不足のため、録画済みの番組に上書きしたり、それ
に支障があるときは録画中止にしたりする必要がなくなる。
【００１６】
第２発明に係るハードディスク録画機は、チューナで受信中の番組を、ＨＤＤのタイム
シフト領域に蓄積し、蓄積した番組を任意の箇所から再生して表示するタイムシフト機能
を備えたＨＤＤ録画機において、録画設定により、録画しようとする番組の録画予定時間
Ｔ１と前記ＨＤＤの録画可能領域の残量時間Ｔ２とを比較し、Ｔ１＞Ｔ２の場合は前記タ
イムシフト領域を減少させてその部分に前記番組を録画するように制御する演算制御部を
備えたことを特徴とする。
【００１７】
このハードディスク録画機によれば、録画しようとする番組の録画予定時間Ｔ１とＨＤ
Ｄの録画可能領域の残量時間Ｔ２とを比較し、Ｔ１＞Ｔ２の場合にタイムシフト領域を減
少させてその部分に番組を録画するように制御するようにしたので、タイムシフト機能を
有効に利用することにより、画質の劣化を抑制しつつ録画可能領域を追加して録画時間を
延長でき、録画可能領域の残量不足のため、録画済みの番組に上書きしたり、それに支障
があるときは録画中止にしたりする必要がなくなる。
【００１８】
第３発明に係るハードディスク録画機は、第２発明に係るハードディスク装置において
、前記演算制御部は、時間優先に設定することにより、前記タイムシフト領域の減少時間
を少なくして録画するように制御するものであることを特徴とする。
【００１９】
このハードディスク録画機によれば、画質の劣化を多少ともなうが、タイムシフト領域
の減少を最小限に抑えての録画を行うことができ、録画可能領域に録画できなかったもの
をタイムシフト領域に確実に録画することができる。
【００２０】
第４発明に係るハードディスク録画機は、第２発明に係るハードディスク装置において
、前記演算制御部は、画質優先に設定することにより、タイムシフト領域での減少時間を
大きくとって高画質で録画するに制御するものであることを特徴とする。
【００２１】
このハードディスク録画機によれば、タイムシフト領域の減少は大きくなるが、録画可
能領域での録画と同等の高画質でタイムシフト領域に録画を行うことができる。
【発明の効果】
【００２２】
本発明によれば、録画可能領域の残量が不足していても画質の劣化を抑制しつつ録画可
能領域を追加することができる。
【発明を実施するための最良の形態】
【００２３】
以下、本発明の実施形態を図面を参照して説明する。
【００２４】
［構成］
図１は、本発明のＨＤＤ（ハードディスク）録画機の一実施形態を示すブロック図であ
る。同図に示すように、アンテナ１からの映像信号はチューナ２で受信され、Ａ／Ｄ変換
器３でデジタル信号に変換され、圧縮処理部４に送られる。圧縮処理部４は、入力された
映像信号の情報量を少なくするように圧縮処理を行い、これをＨＤＤ６に蓄積する。ＨＤ
Ｄ６に蓄積された番組に関する情報はメモリ５に記憶される。演算制御部１０により、Ｈ
ＤＤ６に蓄積された映像信号が読み出されると、その映像信号に関連する情報もメモリ５
から読み出されて伸張処理部７に送られ、元の番組の映像信号になるように伸張処理が行
われる。伸張処理された映像信号はＤ／Ａ変換器８によりアナログ信号に変換されて外部
に出力され、表示部（図示せず）に表示される。なお、ハードディスク録画機には、通常
ＤＶＤ再生器９も搭載されており、このＤＶＤ再生器９からも映像信号が出力され、表示
部に表示される。演算制御部１０は、圧縮処理部４、ＨＤＤ６、伸張処理部７およびＤＶ
Ｄ９の制御およびチャネル切換動作を実行するものである。
【００２５】
図２は、ＨＤＤ６に内蔵されているバッファを示す図である。図２(ａ)に示すように、
バッファは、録画可能領域６ａとタイムシフト領域６ｂとを有している。ユーザがハード
ディスク録画機で録画していないときは、現在視聴している映像は自動的にタイムシフト
領域６ａに録画される。タイムシフト領域６ｂはリングバッファであり、この領域の最後
まで録画すると最初に戻り、上書きしながら録画を継続する。
【００２６】
［フローチャート］
図３は、タイムシフト領域を利用する録画予約の動作を示すフローチャートである。
【００２７】
いま、ユーザがハードディスク録画機を録画予約に設定すると（ステップＳ１）、演算
制御部１０で録画可能領域６ａにおける残量時間（録画可能時間）Ｔ２を計算し（ステッ
プＳ２）、この残量時間Ｔ２とその番組の録画予定時間Ｔ１（予め分かっている）とを比
較する（ステップＳ３）。その結果、Ｔ１≦Ｔ２であれば、録画が可能であるので、録画
予約した時間になれば通常通り録画を行う（ステップＳ４）。
【００２８】
ところが、Ｔ１＞Ｔ２の場合は、録画可能領域６ａの残量が不足するため、予約した番
組の全部を録画することができない。そこで、本発明では足りない部分をタイムシフト領
域６ｂで補うようにしたものである。すなわち、演算制御部１０は、Ｔ１＞Ｔ２と判定す
ると、タイムシフト領域６ｂを、図２（ａ）から図２（ｂ）のように、Ｘだけ減少させる
ことにより減少分Ｘを録画領域６ａに加えることにより）、この減少部分（斜線の部分）
に録画するようにしている（ステップＳ５）。このタイムシフト領域６ｂの減少は、演算
制御部１０の指令で自動的に行うが、ユーザが手動で操作することも可能である。
【００２９】
タイムシフト領域に録画する場合、画質と時間のいずれを優先するかをユーザが決定す
る。すなわち、画質を下げても録画可能時間を長くするか（同一録画時間でのタイムシフ
ト領域の減少を抑える：「録画時間優先」）、逆に録画可能時間を短くして高画質で録画
するか（同一録画時間でのタイムシフト領域の減少を大きくとる：「画質優先」）、のい
ずれかを選択する。
【００３０】
図４は、このような優先順位を決定する場合の録画予約の動作を示すフローチャートで
ある。ステップＳ３においてＴ１＞Ｔ２と判定された場合、ステップＳ６において、ユー
ザが「録画時間優先」を選択・設定しているか否かを判定する。「録画時間優先」を選択
・設定していると判定すると、画質のレベルを落としてタイムシフト領域６ｂを減少させ
、（ステップＳ５）、録画を行う（ステップＳ４）。例えば、画質のレベルが「高」、「
中」、「低」とある場合には、「高」から「中」に落として録画時間が足りるか否かを確
認し、足りていれば画質「中」の録画可能領域を確保するようにタイムシフト領域６ｂを
減少させ、足りていなければ画質を「低」に落として録画可能領域を確保するようにタイ
ムシフト領域６ｂを減少させる。
【００３１】
一方、「録画時間優先」を選択・設定してないと判定すると、ステップＳ７に移行する
。ステップＳ７では、「画質優先」を選択・設定しているか否かを判定する。「画質優先
」を選択・設定していると判定すると、画質「高」のでタイムシフト領域６ｂを減少させ
（ステップＳ５）、録画を行う（ステップＳ４）。即ち、タイムシフト領域６ｂの減少を
大きくとって高画質の録画を行う。画質「高」でタイムシフト領域６ｂが足りない場合に
は、録画時間を減少させて録画可能時間を確保する。ステップＳ７において、「画質優先
」が選択・設定されていると判定しない場合、即ち、「録画優先」も「画質優先」も設定
されていない場合にはデフォルトの設定でタイムシフト領域６ｂを減少させる。タイムシ
フト領域を利用して録画する場合は、録画可能領域での残量の足りない部分をタイムシフ
ト領域で補うためであるので、時間の方を優先するのが普通であるので、デフォルトの設
定は「時間優先」（画質「低」）とする。
【００３２】
ユーザが画質「高」、「中」、「低」の何れかを設定可能とし、ステップＳ３において
残量時間Ｔ２が足りない場合には、ユーザが設定している画質（「高」、「中」、「低」
の何れか）を優先させて、即ちユーザ設定されている画質「高」、「中」、「低」の何れ
かでタイムシフト領域６ｂを減少させるようにしても良い。
【００３３】
なお、ステップＳ３でＴ１＞Ｔ２の場合に、「時間優先ボタン」と「画質優先ボタン」
とを表示部に表示して、ユーザからの入力を受け付け、ユーザからの入力が「時間優先」
か「画質優先」の何れであるかをステップＳ６、ステップＳ７で判定するようにしても良
い。また、「画質優先ボタン」の代わりに、画質「高」、「中」、「低」を設定可能なボ
タンを表示して、ユーザから画質の設定を受け付けても良い。
【００３４】
上記のように、タイムシフト領域を利用して録画する場合は、録画可能領域での残量の
足りない部分をタイムシフト領域で補うためであるので、時間の方を優先するのが普通で
あるが、録画可能領域での残量時間Ｔ２が録画予定時間Ｔ１より僅かに足りず、タイムシ
フト領域の減少がそれほど大きくない場合は、画質を優先にすることも可能である。この
ような設定は演算制御部１０で行うことができる。
【００３５】
なお、上記実施形態では、録画予約の場合について説明しているが、予約なしで録画ボ
タンですぐに録画を行う場合についても、録画ボタンのオンにより、図３および図４のフ
ローが開始するよにすれば、同様に実施可能である。
【００３６】
以上のように、本実施形態のハードディスク録画機によれば、ＨＤＤ６のタイムシフト
機能を有効に利用することにより、画質を落とすことなく録画時間を延長でき、録画可能
領域の残量不足のため、録画中止にする必要がなくなる。
【図面の簡単な説明】
【００３７】
【図１】本発明のハードディスク録画機の実施形態を示すブロック図。
【図２】ＨＤＤに内蔵のバッファを示す図。
【図３】タイムシフト領域を利用する録画予約の動作を示すフローチャート。
【図４】優先順位を決定する場合の動作を示すフローチャート。
【符号の説明】
【００３８】
１    アンテナ
２    チューナ
３    Ａ／Ｄ変換器
４    圧縮処理部
５    メモリ
６    ＨＤＤ
７    伸張処理部
８    Ｄ／Ａ変換器
１０    演算制御部
【図１】
2006067493.tif 000003
【図２】
2006067493.tif 000004
【図３】
2006067493.tif 000005
【図４】
2006067493.tif 000006